(57)【要約】      （修正有）【課題】多帯域ワイヤレス無線機の重量、容積を軽減する。【解決手段】ワイヤレス電話機１０２には電話機トランシーバ１０４、ＧＰＳ受信機１０６およびブルートゥーストランシーバ１０８が含まれている。電話機アンテナ１１０は外部であり、ブルートゥースアンテナ１２０は内部である。ＧＰＳ受信機１０６はそれ自体の内部アンテナにより、あるいは他のアンテナ１１０，１２０のいずれかにより信号分離器１１６を通して駆動されてもよい。【選択図】図１
2011254485.tif 000002
【特許請求の範囲】
【請求項１】
ａ）ｉ）電話トランシーバと、
ｉｉ）電話トランシーバに接続された外部アンテナと、
ｉｉｉ）グローバルポジショニングシステム（ＧＰＳ）受信機およびアンテナとを具備し、
ｂ）ブルートゥーストランシーバおよび内部アンテナをさらに具備するワイヤレス電話機。
【請求項２】
ａ）電話信号およびＧＰＳ信号を外部アンテナから受信し、
ｂ）電話信号およびＧＰＳ信号を分離し、
ｃ）電話信号を電話トランシーバに加え、
ｄ）ＧＰＳ信号をＧＰＳ受信機に加えるように接続された信号分離器をさらに具備する請求項１記載のワイヤレス電話機。
【請求項３】
ａ）ブルートゥース信号およびＧＰＳ信号を内部ＧＰＳアンテナから受信し、
ｂ）ブルートゥース信号およびＧＰＳ信号を分離し、
ｃ）ブルートゥース信号をブルートゥーストランシーバに加え、
ｄ）ＧＰＳ信号をＧＰＳ受信機に加えるように接続された信号分離器をさらに具備する請求項１記載のワイヤレス電話機。
【請求項４】
ＧＰＳアンテナ電話機は内部にあり、ブルートゥースアンテナから分離されている請求項１記載のワイヤレス電話機。
【発明の詳細な説明】
【発明の背景】
【０００１】
技術分野
本発明はワイヤレス電話機に関し、特に多帯域ワイヤレス電話機に対するアンテナアーキテクチャに関する。
【０００２】
従来の技術
ワイヤレス電話機は長い間、多周波数帯域で動作しなければならなかった。古いセルラ電話機は８００ＭＨｚで動作する一方、さらに現代のＰＣＳ（パーソナル通信システム）電話機は１９００ＭＨｚで動作する。これは、第１の帯域で４分の１波長アンテナとして動作し、第２の帯域で半波長アンテナとして動作する単一のアンテナで行うことができる。しかしながら付加的な機能が利用可能になると、付加的なアンテナを使用することが必要となる。これは望ましいことではない。その理由は、軽量、コンパクト、そして（最も重要である）ポータブルな製品、ワイヤレス電話機であることを意図している物の重量と容積を追加するからである。
【発明の簡単な開示】
【０００３】
出願人は、付加的な機能が少なくともＧＰＳおよびブルートゥース（登録商標）である場合の従来技術の制限を解消した。
【０００４】
ＧＰＳはグローバルポジショニングシステムである。地上ベースの受信機が正確に時間が合わされた信号をいくつかの衛星から受信する。各衛星は正確に知られた位置を有し、それに対するコードも信号に含まれている。各信号が受信される時間（および時間差）を知ることにより、受信機はそれ自体の位置を計算することができる。ＧＰＳは１５７５ＭＨｚで動作する。
【０００５】
ブルートゥースはブルートゥース特別関心グループのプロジェクトである。この出願の出願日のそのウェブサイトhttp://www.bluetooth.comはケーブルなしである。２４００−２４８３ＭＨｚで動作する低電力、短距離（１０−１００メートル）無線リンクを使用することによりそのようにしている。
【０００６】
本発明は、単一外部アンテナを有する単一装置に、ワイヤレス電話機、ＧＰＳ、およびブルートゥース能力を提供する。これらの実施形態が示されている。
【０００７】
第１の実施形態では、電話機は１つの電話機帯域のみで動作するように設計されている。外部アンテナは電話機とＧＰＳの両方にアクセスするために多帯域応答に対して同調されている。デュプレクサまたは電子スイッチが電話機とＧＰＳの信号を分離する。内部アンテナがブルートゥースのために使用される。
【０００８】
第２の実施形態では、電話機は２つの電話機帯域で動作するように設計されている。外部アンテナは両電話機帯域のために使用される。単一の内部アンテナがＧＰＳとブルートゥースのために使用され、同様なデュプレクサまたは電子スイッチが設けられる。
【０００９】
第３の実施形態は第２のものに類似するが、２つの内部アンテナを使用し、一方はＧＰＳ用であり、他方はブルートゥース用である。デュプレクサまたは電子スイッチは削除される。
【図面の簡単な説明】
【００１０】
【図１】図１は、本発明の第１の実施形態のブロック図である。
【図２】図２は、本発明の第２の実施形態のブロック図である。
【図３】図３は、本発明の第３の実施形態のブロック図である。
【好ましい実施形態の詳細な説明】
【００１１】
図１は本発明の第１の実施形態のブロック図である。ワイヤレス電話機（１０２）は電話機トランシーバ（１０４）、ＧＰＳ受信機（１０６）およびブルートゥース受信機（１０８）を有する。外部アンテナ（１１０）が電話信号を遠隔電話基地局（１１２）から受信し、またＧＰＳ信号を遠隔ＧＰＳ衛星（１１４）の配列から受信する。信号分離器は電話信号とＧＰＳ信号を分離し、電話信号を電話トランシーバ（１０４）に、ＧＰＳ信号をＧＰＳ受信機（１０６）に加える。遠隔ブルートゥース装置（１１８）は信号を内部ブルートゥースアンテナ（１２０）に送り、これはブルートゥース信号をブルートゥース受信機（１０８）に加える。
【００１２】
図２は本発明の第２の実施形態のブロック図である。図２は２つの例外を除いて図１とほぼ同じである。
【００１３】
第１に、図１の外部アンテナ（１１０）は外部アンテナ（２１０）になっている。その理由は１つの帯域ではなく２つの帯域で電話信号を受信するように最適化されている。第１の帯域上の信号は第１の遠隔基地局（２２２）から受信され、第２の帯域上の信号は第２の遠隔基地局（２２４）から受信される。２つの基地局は同じ場所に配置してもよく、アンテナを共有してもよいが、異なる周波数帯域で動作することから、別々であると考えることができる。図１の単一帯域電話トランシーバ（１０４）は図２の二重帯域電話トランシーバ（２０４）となるように変更される。共通アンテナを共有する二重帯域電話トランシーバは技術的によく知られている。
【００１４】
第２に、図１の信号分離器（１１６）は図２の信号分離器（２１６）になっている。その理由はＧＰＳ信号および電話信号ではなく、ＧＰＳ信号とブルートゥース信号を分離するからである。図１の内部アンテナ（１２０）は図２の内部アンテナ（２２０）になっている。その理由はブルートゥース信号だけではなく、ＧＰＳ信号とブルートゥース信号の両方を受信するように最適化されているからである。信号分離器（２１６）はブルートゥース信号とＧＰＳ信号を内部ＧＰＳアンテナ（２２０）から受信し、２つの信号を分離する。そしてブルートゥース信号をブルートゥーストランシーバ（１０８）に、ＧＰＳ信号をＧＰＳ受信機（１０６）に加える。
【００１５】
図３は本発明の第３の実施形態のブロック図である。図３は１つの例外を除いて図２とほぼ同じである。信号分離器（２１６）は除去され、独立した内部ＧＰＳアンテナ（３２６）が加えられており、これはＧＰＳ信号を直接ＧＰＳ受信機に加える。図１と同様に、ブルートゥースアンテナ（１２０）はブルートゥース信号をブルートゥーストランシーバ（１０８）に加える。
【００１６】
産業上の利用性
本発明は工業において活用することができ、ＧＰＳとここに示されている方法を備えたワイヤレス電話機を提供することが望まれるときはいつでも本発明を作り、使用することができる。互いに分離して別個であるものはまったく通常のものであってもよく、本発明としてクレームされているものはそれらの組み合わせである。
【００１７】
さまざまなモードの装置および方法を説明してきたが、本発明の真の精神および範囲はそれらに限定されるものではなく、特許請求の範囲およびそれらの均等物によってのみ制限され、そのようなものが本発明としてクレームされている。
【図１】
2011254485.tif 000003
【図２】
2011254485.tif 000004
【図３】
2011254485.tif 000005
【手続補正書】
【提出日】平成23年7月21日(2011.7.21)
【手続補正１】
【補正対象書類名】特許請求の範囲
【補正対象項目名】全文
【補正方法】変更
【補正の内容】
【特許請求の範囲】
【請求項１】
ａ）ｉ）電話トランシーバと、
ｉｉ）電話トランシーバに接続された外部アンテナと、
ｉｉｉ）グローバルポジショニングシステム（ＧＰＳ）受信機およびアンテナとを具備し、
ｂ）ブルートゥーストランシーバおよび内部アンテナをさらに具備するワイヤレス電話機。
【外国語明細書】
2011254485000001.pdf